【手続補正書】
【提出日】平成19年2月6日(2007.2.6)
【手続補正１】
【補正対象書類名】明細書
【補正対象項目名】発明の名称
【補正方法】変更
【補正の内容】
【発明の名称】音声符号化装置、音声復号化装置、及びそれらの方法
【手続補正２】
【補正対象書類名】明細書
【補正対象項目名】特許請求の範囲
【補正方法】変更
【補正の内容】
【特許請求の範囲】
【請求項１】  入力音声信号を符号化する音声符号化手段と、
消失フレームおよびそれ以降のフレームの復号音声信号の品質を改善するために冗長情報を符号化する符号化手段と、
前記符号化された入力音声信号と前記冗長情報とを多重化する多重化手段と、
を具備することを特徴とする音声符号化装置。
【請求項２】  前記冗長情報は、フレームの最後の極大パルスの位置情報を含む、ことを特徴とする請求項１記載の音声符号化装置。
【請求項３】  前記冗長情報は、前フレームにおける最後の極大パルスの位置情報である、ことを特徴とする請求項２記載の音声符号化装置。
【請求項４】  前記音声符号化手段は、ＣＥＬＰ符号化を行う、ことを特徴とする請求項１から請求項３のいずれかに記載の音声符号化装置。
【請求項５】  前記冗長情報は、さらに前記極大パルスの極性情報を含む、ことを特徴とする請求項１から請求項４のいずれかに記載の音声符号化装置。
【請求項６】  冗長情報を用いたフレーム消失補償処理を行う音声復号化装置であって、
消失フレームおよびそれ以降のフレームの復号音声信号の品質を改善するために伝送された前記冗長情報を復号する復号化手段、
を具備することを特徴とする音声復号化装置。
【請求項７】  前記冗長情報は、フレームの最後の極大パルスの位置情報を含む、ことを特徴とする請求項６記載の音声復号化装置。
【請求項８】  前記復号化手段は、所定のフレーム単位で処理を行い、符号化されて伝送されたフレームの最後の極大パルスの位置情報を利用するフレーム消失補償処理を行い、
前記フレーム消失補償処理は前記極大パルスの位置情報によって表される位置に消失補償処理を行って得られるフレームの最後の極大パルスの位置をあわせる処理である、ことを特徴とする請求項７記載の音声復号化装置。
【請求項９】  前記極大パルスの位置情報は、現フレームにおいて最も後ろにある極大パルスの位置を表し、
前記極大パルスの位置情報は、消失フレームの次のフレームにおいて受信される、ことを特徴とする請求項６から請求項８のいずれかに記載の音声復号化装置。
【請求項１０】  入力音声信号を符号化する音声符号化工程と、
消失フレームおよびそれ以降のフレームの復号音声信号の品質を改善するために冗長情報を符号化する符号化工程と、
前記符号化された入力音声信号と前記冗長情報とを多重化する多重化工程と、
を具備することを特徴とする音声符号化方法。
【請求項１１】  前記冗長情報は、フレームの最後の極大パルスの位置情報を含む、ことを特徴とする請求項１０記載の音声符号化方法。
【請求項１２】  前記冗長情報は、前フレームにおける最後の極大パルスの位置情報であることを特徴とする請求項１１記載の音声符号化方法。
【請求項１３】  前記音声符号化工程は、ＣＥＬＰ符号化を行う、ことを特徴とする請求項１０から請求項１２のいずれかに記載の音声符号化方法。
【請求項１４】  前記冗長情報は、さらに前記極大パルスの極性情報を含む、ことを特徴とする請求項１０から請求項１３のいずれかに記載の音声符号化方法。
【請求項１５】  冗長情報を用いたフレーム消失補償処理を行う音声復号化方法であって、
消失フレームおよびそれ以降のフレームの復号音声信号の品質を改善するために伝送された前記冗長情報を復号する復号化工程、
を具備することを特徴とする音声復号化方法。
【請求項１６】  前記冗長情報は、フレームの最後の極大パルスの位置情報を含む、ことを特徴とする請求項１５記載の音声復号化方法。
【請求項１７】  前記復号化工程は、所定のフレーム単位で処理を行い、符号化されて伝送されたフレームの最後の極大パルスの位置情報を利用するフレーム消失補償処理を行い、
前記フレーム消失補償処理は前記極大パルスの位置情報によって表される位置に消失補償処理を行って得られるフレームの最後の極大パルスの位置をあわせる処理である、ことを特徴とする請求項１６記載の音声復号化方法。
【請求項１８】  前記極大パルスの位置情報は、現フレームにおいて最も後ろにある極大パルスの位置を表し、
前記極大パルスの位置情報は、消失フレームの次のフレームにおいて受信される、ことを特徴とする請求項１５から請求項１７のいずれかに記載の音声復号化方法。
【手続補正３】
【補正対象書類名】明細書
【補正対象項目名】０００１
【補正方法】変更
【補正の内容】
【０００１】
【発明の属する技術分野】
本発明は、音声信号を符号化して音声符号化情報を生成しパケット化して伝送する音声符号化装置、音声復号化装置、及びそれらの方法に関する。
【手続補正４】
【補正対象書類名】明細書
【補正対象項目名】００１４
【補正方法】変更
【補正の内容】
【００１４】
本発明は、かかる点に鑑みてなされたものであり、フレーム消失部およびフレーム消失の直後の復号音声信号の品質を向上させることができる音声符号化装置、音声復号化装置、及びそれらの方法を提供することを目的とする。
【手続補正５】
【補正対象書類名】明細書
【補正対象項目名】００１５
【補正方法】変更
【補正の内容】
【００１５】
【課題を解決するための手段】
本発明の音声符号化装置は、入力音声信号を符号化する音声符号化手段と、消失フレームおよびそれ以降のフレームの復号音声信号の品質を改善するために冗長情報を符号化する符号化手段と、前記符号化された入力音声信号と前記冗長情報とを多重化する多重化手段と、を具備する構成を採る。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】変更
【補正の内容】
【００２９】
本発明の音声復号化装置は、冗長情報を用いたフレーム消失補償処理を行う音声復号化装置であって、消失フレームおよびそれ以降のフレームの復号音声信号の品質を改善するために伝送された前記冗長情報を復号する復号化手段、を具備する構成を採る。
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】削除
【補正の内容】
【手続補正３８】
【補正対象書類名】明細書
【補正対象項目名】００４８
【補正方法】削除
【補正の内容】
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】変更
【補正の内容】
【００５０】
本発明の音声符号化方法は、入力音声信号を符号化する音声符号化工程と、消失フレームおよびそれ以降のフレームの復号音声信号の品質を改善するために冗長情報を符号化する符号化工程と、前記符号化された入力音声信号と前記冗長情報とを多重化する多重化工程と、を具備するようにした。
【手続補正４１】
【補正対象書類名】明細書
【補正対象項目名】００５１
【補正方法】削除
【補正の内容】
【手続補正４２】
【補正対象書類名】明細書
【補正対象項目名】００５２
【補正方法】変更
【補正の内容】
【００５２】
本発明の音声復号化方法は、冗長情報を用いたフレーム消失補償処理を行う音声復号化方法であって、消失フレームおよびそれ以降のフレームの復号音声信号の品質を改善するために伝送された前記冗長情報を復号する復号化工程、を具備するようにした。
【手続補正４３】
【補正対象書類名】明細書
【補正対象項目名】００５３
【補正方法】削除
【補正の内容】
【手続補正４４】
【補正対象書類名】明細書
【補正対象項目名】００５４
【補正方法】削除
【補正の内容】
【手続補正４５】
【補正対象書類名】明細書
【補正対象項目名】００５５
【補正方法】削除
【補正の内容】